(57)【要約】【課題】太陽光発電パネルを架台フレームに簡単に能率よく且つ簡単な構造によって確実に固定できる太陽光発電パネル架台を提案する。【解決手段】中空状縦桟本体４に、その長手方向に一体形成される一対のばね係合保持台７，７と、中空状のスペーサー突起６の頂部に一体形成される一対のパネル上面規制フランジ８，８と、一対のばね係合保持台７に係合保持された偏平下向きＵ字状に湾曲したパネル押圧ばね９とからなり、パネル上面規制フランジ８と前記パネル押圧ばね９との対向間隔は太陽光発電パネルＰの上下面間の厚みより狭く形成され、太陽光発電パネルＰは、パネル押圧ばね９の押圧力に押圧規制されて、前記パネル上面規制フランジ８と前記ばね係合保持台７との間で挟持固定されてなる。【選択図】図３
2018007341.tif 000002
【特許請求の範囲】
【請求項１】
前後方向に沿う複数本の上位側の縦桟と左右方向に沿う複数本の下位側の横桟とが格子状に連結されて上位側の縦桟が後方から前方に向かって低く傾斜して配設された架台フレームにおいて、複数枚の太陽光発電パネルが互いに対向する縦桟間に平面的に配列して取り付けられる太陽光発電パネル架台であって、
上位側の縦桟は、下位側の横桟に直交して連結される中空状縦桟本体と、該縦桟本体の上片部に該縦桟本体の中空部に連通して上方に突設される中空状のスペーサー突起と、該縦桟本体の上片部の前記スペーサー突起を挟んで、該縦桟本体の長手方向に平面状に一体形成された一対のばね係合保持台と、前記スペーサ突起の突端部を挟んでその長手方向に前記一対のばね係合保持台に対向して平面状に一体形成された一対のパネル上面規制フランジとからなり、
前記一対のばね係合保持台に偏平下向きＵ字状に湾曲したパネル押圧ばねが係合保持され、且つ前記パネル上面規制フランジと前記パネル押圧ばねとの対向間隔は太陽光発電パネルの上下面間の厚みより狭く形成され、
太陽光発電パネルは、前記パネル押圧ばねの押圧力に押圧規制されて、前記パネル上面規制フランジと前記ばね係合保持台との間で挟持固定されてなる太陽光発電パネル架台。
【請求項２】
前記一対のばね係合保持台に、その長手方向に偏平下向きＵ字状に湾曲したパネル押圧ばねが係合保持され、該パネル押圧ばねのＵ字状湾曲面の湾曲頂部にその長手方向に直交してパネルの長手方向への移動を規制する規制突起が一体突設されてなる請求項１に記載の太陽光発電パネル架台。
【請求項３】
前記一対のばね係合保持台に、その長手方向に係合保持される偏平下向きＵ字状に湾曲したパネル押圧ばねは、平面視においてその長手方向を長辺とする長方形に形成されてなる請求項１又は２に記載の太陽光発電パネル架台。
【請求項４】
複数の太陽光発電パネルは、前方側に向かって低く傾斜して互いに対向して配列される縦桟間にあって、前記一対のばね係合保持台とこれに対向する前記一対のパネル上面規制フランジとの間に、縦桟後方から前方に向かって一枚毎パネル押圧ばねと交互に順次挿入され、その挿入端において、各太陽光発電パネルは、前記パネル押圧ばねの押圧力に押圧規制されて挟持固定されてなる請求項１〜３の何れかに記載の太陽光発電パネル架台。
【請求項５】
複数の太陽光発電パネルは、前方側に向かって低く傾斜して互いに対向して配列される縦桟間にあって、前記一対のばね係合保持台とこれに対向する前記一対のパネル上面規制フランジとの間に、縦桟後方から前方に向かって一枚毎パネル押圧ばねと交互に順次挿入され、その挿入端において、各太陽光発電パネルは、前記パネル押圧ばねの押圧力に押圧規制され挟持固定されると共に、パネル押圧ばねに突設してなる前記規制突起は、縦桟後方から前方に向かって一枚毎順次挿入される太陽光発電パネルの前後端面に当接して、太陽光発電パネルの前後方向の位置決め規制をしてなる請求項1 〜４の何れかに記載の太陽光発電パネル架台。
【請求項６】
後方側から前方側に向かって低く傾斜して互いに対向して配列される縦桟間にあって、縦桟の最前端に位置するパネル押圧ばねは、ばね係合保持台にビス止めされてなる請求項１〜５の何れかに記載の太陽光発電パネル架台。
【請求項７】
後方側から前方側に向かって低く傾斜して互いに対向して配列される縦桟間にあって、縦桟の最後端に位置するパネル押圧ばねは、ばね係合保持台にビス止めされてなる請求項１〜６の何れかに記載の太陽光発電パネル架台。
【請求項８】
太陽光発電パネルが縦桟の長手方向に直交する横側から検鈍式に縦桟間の前記一対のばね係合保持台とこれに対向する前記一対のパネル上面規制フランジとの間に挿入できるよう、縦桟と太陽光発電パネルとの間に挿入隙間を設けると共に、その挿入隙間への挿入範囲において、前記一対のばね係合保持台とこれに対向する前記一対のパネル上面規制フランジとの間で太陽光発電パネルを挟持するその挟持位置を維持するための挟持維持金具を挿入隙間に詰め込むようになっている請求項１〜３の何れかに記載の太陽光発電パネル架台。
【請求項９】
太陽光発電パネルが縦桟の長手方向に直交する横側から検鈍式に縦桟間の前記一対のばね係合保持台とこれに対向する前記一対のパネル上面規制フランジとの間に挿入できるよう縦桟と太陽光発電パネルとの間に挿入隙間を設けるにあたって、前記スペーサー突起を左右何れか一方側に偏位させて、前記一方側のばね係合保持台とこれに対向する前記一方側のパネル上面規制フランジとの間の挿入隙間が前記他方側のばね係合保持台とこれに対向する前記他方側のパネル上面規制フランジとの間の挿入隙間よりも隙間間隔を広く取るようにし、隙間間隔の広い挿入隙間に前記挟持維持金具を詰め込むようにした請求項８に記載の太陽光発電パネル架台。
【発明の詳細な説明】
【技術分野】
【０００１】
本発明は、複数本の縦桟と横桟とが格子状に連結された架台フレーム上に、太陽光発電パネルが取り付けられてなる太陽光発電パネル架台に関する。
【背景技術】
【０００２】
近年、環境保護、省資源、ＣＯ 2削減等の観点から、太陽電池を利用した太陽光発電システムが急速に普及しており、大きな発電量を得るために複数枚の太陽光発電パネル（太陽電池モジュール）を縦横に平面的に並べた太陽電池アレイが一般化し、更にはメガソーラーやギガソーラーとして多数基の太陽電池アレイを並設した大規模太陽光発電施設も増加しつつある。そして、太陽電池アレイは、一基が短辺数ｍ、長辺数ｍ〜数十ｍといった大型になるため、通常、複数本の縦桟と横桟とを交叉部で連結した格子状の架台フレームにて支承し、地上や陸屋根に設けたコンクリート製の土台や杭、建屋の屋根に設けた受け金具等のベースに対し、該架台フレームの下位側桟の要所において取付金具もしくは支柱と取付金具を介して支持させている。
【０００３】
このような太陽光発電パネル架台において、太陽光発電パネルを架台フレーム上に固定する手段として、従来より多種多様な方式が提案され、また採用されているが、いずれも固定強度、施工精度、作業性、施工コスト及び材料コスト、特に太陽光発電パネルを太陽光発電パネル架台に効率良く設置する面で充分に満足できるものとは言えなかった。
【０００４】
本願発明に最も近似する従来技術として、本願出願人が提案した太陽光パネル架台として、特許文献１が存在する。
【０００５】
特許文献１に記載の太陽光発電パネル架台は、図８の（ａ）及び（ｂ）に示すとおりであるが、この従来の太陽光発電パネル架台は、前後方向に沿う複数本の縦桟１と左右方向に沿う複数本の横桟２とが格子状に連結されて前方に低く傾斜した架台フレーム３上に、太陽光発電パネルＰの複数枚が平面的に配列して取り付けられてなり、架台フレーム３の縦桟１及び横桟２の内、上位縦桟１の上面に長手方向に連続する摺動ガイド溝２２を備え、この摺動ガイド溝２２にスライド金具２３が摺動自在で且つ上方離脱不能に嵌挿されると共に、該スライド金具２３に下方から貫通された止着用ボルトＢが上方へ突出し、該架台フレーム３の上位側桟上に載せた太陽光発電パネルＰ，Ｐ同士が止着用ボルトＢを挟んで隣接配置すると共に、該止着用ボルトＢに嵌め込んだ押さえ金具２４が隣接配置した両太陽光発電パネルＰ，Ｐ上に橋架し、該押さえ金具２４上から止着用ボルトＢに螺合したナットＮの締め付けにより、両太陽光発電パネルＰ，Ｐが該押さえ金具２４と上位側桟との間で挟着固定され、止着用ボルトＢにスペーサー金具２５が押さえ金具２４より下位に嵌装され、隣接配置する太陽光発電パネルＰ，Ｐの間で該スペーサー金具２５を挟み付けて位置決めするようにして、複数の太陽光発電パネルが太陽光発電パネル架台の架台フレームに後方側の高所から前方側の低所に向かって平面状に設置されるようにしていた。
【０００６】
このように複数の太陽光発電パネルは、図示の状態から分かるように、多数の止着用ボルトＢとこれに螺合される多数のナットＮとの面倒な締付操作によって、架台フレームに固定されるようにしていたため、作業能率が悪く、又、架台フレームの３の高所あるいは架台フレーム３の周縁から離れている中央部所のように作業の困難な場所においては一層作業能率が悪いという難点があった。又、太陽光発電パネルＰ，Ｐの間隔を規制するスペーサー金具２５も別部材として設けるため、それだけ部品点数が増加し、作業工数が増え施工コスト及び材料コストに影響を与えていた。
【先行技術文献】
【特許文献】
【０００７】
【特許文献１】特許第５９１２１００号公報
【発明の概要】
【発明が解決しようとする課題】
【０００８】
本発明は、上述の事情に鑑みて、太陽光発電パネル架台として、架台フレームに対して太陽光発電パネルを簡単に能率よく確実に固定でき、その固定強度に優れ、地震時の大きな揺れや強風時の大きな風圧を受けても、固定部分が外れたり歪んだりする懸念がなく、また施工コスト及び材料コストも少なくて済むものを提供することを目的としている。
【課題を解決するための手段】
【０００９】
上記課題を解決するための手段を図面の参照符号を付して示せば、請求項１の発明に係る太陽光発電パネル架台は、前後方向に沿う複数本の上位側の縦桟１と左右方向に沿う複数本の下位側の横桟２とが格子状に連結されて上位側の縦桟１が後方から前方に向かって低く傾斜して配設された架台フレーム３において、複数枚の太陽光発電パネルＰが互いに対向する縦桟１，１間に平面的に配列して取り付けられる太陽光発電パネル架台であって、上位側の縦桟１，１は、下位側の横桟２，２に直交して連結される中空状縦桟本体４と、該縦桟本体４の上片部４ａに該縦桟本体４の中空部５に連通して上方に突設された中空状のスペーサー突起６と、該縦桟本体４の上片部４ａの前記スペーサー突起６を挟んで、該縦桟本体４の長手方向に平面状に一体形成された一対のばね係合保持台７と、前記スペーサー突起６の突端部６ａを挟んでその長手方向に前記一対のばね係合保持台７，７に対向して平面状に一体形成された一対のパネル上面規制フランジ８，８とからなり、前記一対のばね係合保持台７に偏平下向きＵ字状に湾曲したパネル押圧ばね９が係合保持され、且つ前記パネル上面規制フランジ８と前記パネル押圧ばね９との対向間隔は太陽光発電パネルＰの上下面間の厚みより狭く形成され、太陽光発電パネルＰは、前記パネル押圧ばね９の押圧力に押圧規制されて、前記パネル上面規制フランジ８と前記ばね係合保持台７との間で挟持固定されてなる構成からなるものである。
【００１０】
請求項２の発明は、前記一対のばね係合保持台７，７に、その長手方向に偏平下向きＵ字状に湾曲したパネル押圧ばね９が係合保持され、該パネル押圧ばね９のＵ字状湾曲面の湾曲頂部９ａにその長手方向に直交してパネルの長手方向への移動を規制する規制突起１０が一体突設されてなる請求項１に記載の構成からなるものである。
【００１１】
請求項３の発明は、前記一対のばね係合保持台７，７に、その長手方向に係合保持される偏平下向きＵ字状に湾曲したパネル押圧ばね９は、平面視においてその長手方向を長辺とする長方形に形成されてなる請求項１又は２に記載の構成からなるものである。
【００１２】
請求項４の発明は、複数の太陽光発電パネルＰは、前方側に向かって低く傾斜して互いに対向して配列される縦桟１，１間にあって、前記一対のばね係合保持台７，７とこれに対向する前記一対のパネル上面規制フランジ８，８との間に、縦桟１後方から前方に向かって一枚毎パネル押圧ばね９と交互に順次挿入され、その挿入端において、各太陽光発電パネルＰは、前記パネル押圧ばね９の押圧力に押圧規制されて挟持固定されてなる請求項１〜３の何れかに記載の構成からなるものである。
【００１３】
請求項５の発明は、複数の太陽光発電パネルＰは、前方側に向かって低く傾斜して互いに対向して配列される縦桟１，１間にあって、前記一対のばね係合保持台７，７とこれに対向する前記一対のパネル上面規制フランジ８，８との間に、縦桟１後方から前方に向かって一枚毎パネル押圧ばね９と交互に順次挿入され、その挿入端において、各太陽光発電パネルＰは、前記パネル押圧ばね９の押圧力に押圧規制され挟着固定されると共に、パネル押圧ばね９に突設してなる前記規制突起１０は、縦桟１後方から前方に向かって一枚毎順次挿入される太陽光発電パネルＰの前後端面Ｐ１，Ｐ２に当接して、太陽光発電パネルＰの前後方向の位置決め規制をしてなる請求項1 〜４の何れかに記載の構成からなるものである。
【００１４】
請求項６の発明は、後方側から前方側に向かって低く傾斜して互いに対向して配列される縦桟１，１間にあって、縦桟１の最前端に位置するパネル押圧ばね９は、ばね係合保持台７にビス１１止めされてなる請求項１〜５の何れかに記載の構成からなるものである。
【００１５】
請求項７の発明は、後方側から前方側に向かって低く傾斜して互いに対向して配列される縦桟１，１間にあって、縦桟１の最後端に位置するパネル押圧ばね９は、ばね係合保持台７にビス１２止めされてなる請求項１〜６の何れかに記載の構成からなるものである。
【００１６】
請求項８の発明は、図６〜図７に示すように、太陽光発電パネルＰが縦桟１の長手方向に直交する横側から検鈍式に縦桟１，１間のばね係合保持台７とこれに対向する前記一対のパネル上面規制フランジ９との間に挿入できるよう、縦桟１と太陽光発電パネルＰとの間に挿入隙間１３を設けると共に、その挿入隙間１３への挿入範囲において、前記一対のばね係合保持台７とこれに対向する前記一対のパネル上面規制フランジ９との間で太陽光発電パネルＰを挟持するその挟持位置を維持するための挟持維持金具１３Ａを挿入隙間１３に詰め込むようになっている請求項１〜３の何れかに記載の構成からなるものである。
【００１７】
請求項９の発明は、図６〜図７に示すように、太陽光発電パネルＰが縦桟１の長手方向に直交する横側から検鈍式に縦桟間の前記一対のばね係合保持台７とこれに対向する前記一対のパネル上面規制フランジとの間に挿入できるよう、縦桟と太陽光発電パネルとの間に挿入隙間を設けるにあたって、前記スペーサー突起を何れか一方側に偏位させて、前記一方側のばね係合保持台とこれに対向する前記一方側のパネル上面規制フランジとの間の挿入隙間が前記他方側のばね係合保持台とこれに対向する前記他方側のパネル上面規制フランジとの間の挿入隙間よりも隙間間隔を広く取るようにし、隙間間隔の広い挿入隙間に前記挟持維持金具を詰め込むようにした請求項８に記載の構成からなるものである。
【発明の効果】
【００１８】
次に、本発明の効果について図面の参照符号を付して説明する。まず、請求項１の発明に係る太陽光発電パネル架台によれば、太陽光発電パネルＰは、架台フレーム３の縦桟１，１間において、一対のばね係合保持台７，７とこれに対向するパネル上面規制フランジ８，８との間に挿入されて縦桟１，１間で挟持されると共に、太陽光発電パネルＰを上記両者間に挿入することによって、太陽光発電パネルＰは前記パネル押圧ばね９に押圧規制されて上記両者間で自動的に固定されることになり、単に太陽光発電パネルＰを上記両者間に挿入するだけの操作によって太陽光発電パネルＰを上記ばね係合保持台７とパネル上面規制フランジ９との間で挟持固定することになるから、太陽光発電パネルＰを上記縦桟１，１間に極めて簡単容易に且つ迅速に装着することができる。
【００１９】
しかも、縦桟１は、図３に示すように、中空状縦桟本体４と、該縦桟本体４の上片部４ａに該縦桟本体４の中空部５に連通して上方に一体突設される中空状のスペーサー突起６とからなり、両者によって上下幅の大きい補強中空断面からなるため、縦桟１の太陽光発電パネルＰに対する耐荷重力が大きく、外部からの太陽光発電パネルＰに対する振動等の外力に対して強力に対向することができる。
【００２０】
又、縦桟１の長手方向に一体形成される前記中空状のスペーサー突起６を挟んで、その左右両側の太陽光発電パネルＰが一定のスペースで位置決め配置されるため、縦桟１，１間の複数の太陽光発電パネルＰは、縦桟１の長手方向に直交する左右横方向の各太陽光発電パネルＰのスペース間隔が一定に保持され、前記中空状のスペーサー突起６に規制されて正確に配置することができる。
【００２１】
請求項２の発明によれば、前記一対のばね係合保持台７に、その長手方向に偏平下向きＵ字状に湾曲したパネル押圧ばね９が係合保持され、該パネル押圧ばね９のＵ字状湾曲面の湾曲頂部９ａにその長手方向に直交してパネルの長手方向への移動を規制する規制突起１０が一体突設されてなるため、太陽光発電パネルＰは、ばね係合保持台７とパネル上面規制フランジ８との間に挿入されることによって、パネル押圧ばね９によって自動的に挟持固定されると共に、規制突起１０によってその長手方向への移動も同時に規制されることになるから、太陽光発電パネルＰを縦桟１の長手方向の各太陽光発電パネルＰのスペース間隔が一定に保持され、太陽光発電パネルＰを定位置に安定して設置することができる。
【００２２】
請求項３の発明によれば、前記一対のばね係合保持台７，７にその長手方向に係合保持される偏平下向きＵ字状に湾曲したパネル押圧ばね９は、平面視においてその長手方向を長辺とする長方形に形成されてなるため、該パネル押圧ばね９をばね係合保持台７に安定して設けることができる。
【００２３】
請求項４の発明によれば、複数の太陽光発電パネルＰは、前方側に向かって低く傾斜して互いに対向して配列される縦桟１，１間にあって、前記一対のばね係合保持台７，７とこれに対向する前記一対のパネル上面規制フランジ８，８との間に、縦桟１後方から前方に向かって一枚毎パネル押圧ばね９と交互に順次挿入され、その挿入端において、各太陽光発電パネルＰは、前記パネル押圧ばね９の押圧力に押圧規制されて挟持固定されてなるため、太陽光発電パネルＰを、縦桟１，１間に迅速且つ容易に取り付けることができる。
【００２４】
請求項５の発明によれば、複数の太陽光発電パネルＰは、前方側に向かって低く傾斜して互いに対向して配列される縦桟１，１間にあって、前記一対のばね係合保持台７，７とこれに対向する前記一対のパネル上面規制フランジ８，８との間に、縦桟１後方から前方に向かって一枚毎順次挿入され、その挿入端において、各太陽光発電パネルＰは、前記パネル押圧ばね９の押圧力に押圧規制され挟着固定されると共に、パネル押圧ばね９に突設してなる前記規制突起１０に、縦桟１後方から前方に向かって一枚毎順次挿入される太陽光発電パネルＰの前後端面Ｐ１，Ｐ２が当接して、太陽光発電パネルＰの前後方向の位置決め規制を正確に行うことができる。
【００２５】
請求項６の発明によれば、後方側から前方側に向かって低く傾斜して互いに対向して配列される縦桟１，１間にあって、縦桟１の最前端に位置するパネル押圧ばね９は、ばね係合保持台７にビス１１止めされてなるため、縦桟１，１の最前端に位置する太陽光発電パネルＰは、最前端のパネル押圧ばね９をばね係合保持台７にビス１１止めするだけで、縦桟１，１から前方に抜け出るのを防止することができ、最前端のパネル押圧ばね９は太陽光発電パネルＰの固定手段と共に抜け止め手段を兼ねることができる。
【００２６】
請求項７の発明によれば、後方側から前方側に向かって低く傾斜して互いに対向して配列される縦桟１，１間にあって、縦桟１の最後端に位置するパネル押圧ばね９は、ばね係合保持台７にビス１２止めされてなるため、縦桟１，１の最後端に位置する太陽光発電パネルＰは、最後端のパネル押圧ばね９をばね係合保持台７にビス１２止めするだけで、縦桟１，１から後方に抜け出るのを防止することができ、最後端のパネル押圧ばね９は太陽光発電パネルＰの固定手段と共に抜け止め手段を兼ねることができる。
【００２７】
請求項８の発明によれば、図６〜図７に示すように、太陽光発電パネルＰが縦桟１，１の長手方向に直交する横側から検鈍式に縦桟１，１間の前記一対のばね係合保持台７，７とこれに対向する前記一対のパネル上面規制フランジ８，８との間に挿入できる挿入隙間１３を縦桟１，１と太陽光発電パネルＰとの間に設けて、その挿入隙間１３に太陽光発電パネルＰを挟持維持するための挟持維持金具１３Ａを詰め込むことによって、太陽光発電パネルＰを縦桟１，１の横側から検鈍式に簡単に挿入して固定することができるから、例えば縦桟１，１の後方側に建物の壁等の障害物があって太陽光発電パネルＰを縦桟１，１の後方端から挿入することが困難な場合に、縦桟１，１の横側から検鈍式に太陽光発電パネルＰを縦桟１，１間に挿入固定することができる。
【００２８】
請求項９の発明によれば、図６〜図７に示すように、太陽光発電パネルＰが縦桟１，１の長手方向に直交する横側から検鈍式に縦桟１，１間の前記一対のばね係合保持台７，７とこれに対向する前記一対のパネル上面規制フランジ８，８との間に挿入できる挿入隙間１３を縦桟１，１と太陽光発電パネルＰとの間に設けるにあたって、前記一対のばね係合保持台７，７とこれに対向する前記一対のパネル上面規制フランジ８，８との間に直交して設けられる中空状のスペーサー支柱８を左右何れか一方側に偏位させて、前記一方側のばね係合保持台７とこれに対向する前記一方側のパネル上面規制フランジ９との間の挿入隙間１３が前記他方側のばね係合保持台７とこれに対向する前記他方側のパネル上面規制フランジ９との間の挿入隙間１３よりも隙間間隔を広く取るようにし、隙間間隔の広い挿入隙間に前記挟持維持金具１３Ａを詰め込むようにしたため、無理なく容易に太陽光発電パネルＰを縦桟１，１の横側から検鈍式に簡単に挿入して固定することができるから、例えば縦桟１，１の後方側に建物の壁等の障害物があって、太陽光発電パネルＰを縦桟１，１の後方端から挿入することが困難な場合に、縦桟１，１の横側から検鈍式に太陽光発電パネルＰを縦桟１，１間に挿入固定することができる。
【図面の簡単な説明】
【００２９】
【図１】（ａ）は、本発明の一実施形態に係る太陽光発電パネル架台の側面図、（ｂ）は同平面図である。
【図２】同太陽光発電パネルを太陽光発電パネル架台の縦桟間に挿入固定した状態を平面視で示す斜視図である。
【図３】図２のＡーＡ線拡大断面図である。
【図４】図３のＢーＢ線要部拡大断面図である。
【図５】（ａ）は、同要部の使用状態拡大斜視図である。（ｂ）は、（ａ）のＣーＣ線断面図である。
【図６】本発明の他の実施形態を示すもので、図３と同様な使用状態を示す要部断面図である。
【図７】（ａ）〜（ｅ）は、図６に示す他の実施形態の太陽光発電パネルを縦桟間に取り付ける操作順序を示す説明図である。
【図８】（ａ）は、従来の太陽光発電パネル架台の側面図、（ｂ）は同平面図である。
【発明を実施するための形態】
【００３０】
以下に、本発明に係る太陽光発電パネル架台の一実施形態について、図面を参照して具体的に説明する。
【００３１】
図１の（ａ）及び（ｂ）に示す太陽光発電パネル架台は、前後方向に沿う複数本の上位側の縦桟１と左右方向に沿う複数本の下位側の横桟２とが格子状に連結されて上位側の縦桟１が後方から前方に向かって低く傾斜して配設された架台フレーム３において、複数枚の太陽光発電パネルＰが互いに対向する縦桟１，１間に平面的に配列して取り付けられる太陽光発電パネル架台であって、後方側から前方側に向かって低く傾斜して上位側の縦桟１，１が配列され、その下位側に直交して重なって左右方向に沿って平行に前方側と後方側との２箇所に下位側の横桟２，２が配列され、このうち、前方側の横桟２には短尺な支柱１５Ａを介して角柱状のコンクリート基礎１４Ａが配置され、後方側の横桟２には長尺な支柱１５Ｂを介して同じく角柱状のコンクリート基礎１４Ｂが配置されており、これによって架台フレーム３の上位側の縦桟１，１は下位側の横桟２，２の上面に支持されて後方側から前方側に向かって低く傾斜して配列されている。そして、縦桟１，１間に太陽光発電パネルＰが平面状に挿入配列されている。（図１の（ｂ）では４本の縦桟１，１間に前後２枚の太陽光発電パネルＰが横３列に、合計６枚の太陽光発電パネルＰが挿入配列されている。）
【００３２】
なお、各太陽光発電パネルＰはその上下及び左右端部で本発明の要部であるパネル押圧ばね９で固定されているが、その詳細は後述する。
【００３３】
図２に示すように、上位側の縦桟１，１は下位側の横桟２，２の上面に直交してフレーム連結金具１６によって連結され、縦桟１，１間にその上方側から下方側に向かって太陽光発電パネルＰがパネル押圧ばね９を介して挿入固定されるようになっている。
すなわち、図２のＡーＡ線拡大断面図である図３に示すように、後方側から前方側に向かって低く傾斜して配列される上位側の縦桟１は、左右側片部４ｂ、４ｂが上面片部（上面）４ａ及び底片部４ｃより長い略矩形状の角筒状中空部５に形成された中空状縦桟本体４と、該縦桟本体４の上面４ａにあって該縦桟本体４の上面中央部に該縦桟本体４の中空部５に連通する上下に長い中空部６ａを有して上方に突設される中空状のスペーサー突起６と、該縦桟本体４の上面中央部の前記スペーサー突起６を挟んで、該縦桟本体４の上面４ａの長手方向に平面状に一体形成された一対のばね係合保持台７，７と、前記スペーサー突起６の突端部６ｂを挟んでその長手方向に前記一対のばね係合保持台７，７に対向して平面状に一体形成された一対のパネル上面規制フランジ８，８とからなる。なお、縦桟本体４とスペーサー突起６の内壁側には両者の開口端を蓋体でビス止めするためのビスホールｈが適宜形成されている。
【００３４】
図３に示すように、スペーサー突起６を挟んで形成された前記一対のばね係合保持台７にパネル押圧ばね９が係合保持されるが、具体的には、図５（ａ）に示すように、ばね係合保持台７の一端部に突設されたばね係合片１７とばね係合保持台７の他端部に形成される前記スペーサー突起６の根元部の側面６ｃとに係合されてばね係合保持台７に保持される。
【００３５】
パネル押圧ばね９は、アルミ型材によって、図４並びに図５（ａ）及び（ｂ）に示すように、ばね係合保持台７の長手方向に偏平下向きＵ字状に湾曲し、平面視においてその長手方向を長辺とする長方形に形成され、且つパネル押圧ばね９のＵ字状湾曲面の湾曲頂部９ａにその長手方向に直交して規制突起１０が一体突設されてなる。一例を挙げると、平面長方形状の長辺の長さは３ｃｍ、短辺の長さは１．８ｃｍ、湾曲部分の厚みは１ｍｍ、規制突起１０では１．５ｍｍである。
【００３６】
このようにパネル押圧ばね９はそのアルミ型材の弾性変形を利用して、太陽光発電パネルＰをその弾性力によって固定するようになっている。そして、押出成形によって形成された長尺なアルミ型材を、例えば上記の例で言えば短辺の１．８ｍｍの切断片に多数形成することによって量産に適すると共に、これら切断片は正確な同一断面形状となっているため、アルミ型材からなるパネル押圧ばね１０によって、ばらつきのない均一な押圧力で複数の太陽光発電パネルＰを固定することができ、太陽光発電パネルＰを縦桟１に長期にわたって安定して支持することができる。
【００３７】
そして、ばね係合保持台７にパネル押圧ばね９が係合保持されることによって、前記パネル上面規制フランジ８と前記パネル押圧ばね９との対向間隔は太陽光発電パネルＰの上下面間の厚みより狭くなっている。
【００３８】
複数の太陽光発電パネルＰは、前方側に向かって低く傾斜して互いに対向して配列される縦桟１，１間にあって、図２〜図４に示すように、前記一対のばね係合保持台７，７と これに対向する前記一対のパネル上面規制フランジ８，８との間に、縦桟１の後方から前方に向かって一枚毎にばね係合保持台７に設置されるパネル押圧ばね９と交互に順次挿入される。
【００３９】
太陽光発電パネルＰがばね係合保持台７とパネル上面規制フランジ８との間に挿入されると、前記パネル上面規制フランジ８と前記パネル押圧ばね９との対向間隔は太陽光発電パネルＰの上下面間の厚みより狭くなっているため、太陽光発電パネルＰの挿入端において、図４、特に図５（ｂ）に示すように、ばね係合保持台７の長手方向に偏平下向きＵ字状に湾曲してなるパネル押圧ばね９は太陽光発電パネルＰの挿入端部に押圧されて、鎖線で示すように若干偏平状に弾性変形し、その復元しようとする反力は、太陽光発電パネルＰの上面が当接するパネル上面規制フランジ８に負荷し、これらの作用によって、太陽光発電パネルＰは前記パネル押圧ばね９に押圧規制されて上記両者間で自動的に固定されることになり、したがって、単に太陽光発電パネルＰを上記両者間に挿入するだけの操作によって太陽光発電パネルＰを上記両者間に挟持固定することになるから、太陽光発電パネルＰを上記縦桟１，１間に極めて簡単容易に且つ迅速に装着することができるというメリットがある。
【００４０】
しかも、縦桟１は、中空状縦桟本体４と、該縦桟本体４の上片部４ａにあって、その中央部に該縦桟本体４の中空部５に連通して上方に一体突設される中空状のスペーサー突起６とからなり、両者によって上下幅の大きい補強中空断面を形成するから、縦桟１の太陽光発電パネルＰに対する耐荷重力が大きく、外部からの太陽光発電パネルＰに対する振動等の外力に対して強力に対向することができる。
【００４１】
又、縦桟１の長手方向に一体形成される前記中空状のスペーサー突起６を挟んで、その両側の太陽光発電パネルＰが一定のスペースで位置決め配置されるため、縦桟１，１間の複数の太陽光発電パネルＰは、前記中空状のスペーサー突起６によって縦桟１の長手方向に直交する横方向のスペース間隔が正確に規制されて配列することができる。
【００４２】
又、図５の（ａ）及び（ｂ）に示すように、前記一対のばね係合保持台７，７にその長手方向に係合保持される偏平下向きＵ字状に湾曲したパネル押圧ばね９は、平面視においてその長手方向を長辺とする長方形に形成されてなるため、該パネル押圧ばね９をばね係合保持台７に安定して設けることができると共に、太陽光発電パネルＰは、その長手方向からパネル押圧ばね９の湾曲面に沿って縦桟１，１間に挿入されるため、それだけ挿入作業を円滑に行うことができる。
【００４３】
又、図２又は図４に示すように、パネル押圧ばね９に突設してなる前記規制突起１０は、縦桟１後方から前方に向かって一枚毎順次挿入される太陽光発電パネルＰの前後端面Ｐ１，Ｐ２に当接して、太陽光発電パネルＰは、縦桟１，１の沿う前後方向の位置決めが正確になされ、縦桟１に沿って不測に上下方向に変移することがない。
【００４４】
更に、図４に示すように、後方側から前方側に向かって低く傾斜して互いに対向して配列される縦桟１，１間にあって、縦桟１の最前端に位置するパネル押圧ばね９は、ばね係合保持台７にビス１１止めされてなるため、縦桟１，１の最前端に位置する太陽光発電パネルＰは、最前端のパネル押圧ばね９をばね係合保持台７にビス１１止めするだけで、縦桟１，１から前方に抜け出るのを防止することができ、最前端のパネル押圧ばね９は太陽光発電パネルＰの固定手段と共に抜け止め手段を兼ねることができ、簡単な構成からなるため、安価に製作することができる。
【００４５】
更に又、図４に示すように、後方側から前方側に向かって低く傾斜して互いに対向して配列される縦桟１，１間にあって、縦桟１の最後端に位置するパネル押圧ばね９は、ばね係合保持台７にビス１２止めされてなるため、縦桟１，１の最後端に位置する太陽光発電パネルＰは、最後端のパネル押圧ばね９をばね係合保持台７にビス１２止めするだけで、縦桟１，１から後方に抜け出るのを防止することができ、最後端のパネル押圧ばね９は太陽光発電パネルＰの固定手段と共に抜け止め手段を兼ねることができ、簡単な構成からなるため、安価に製作することができる。
【００４６】
図６〜図７は、本発明の他の実施形態を示すものであり、太陽光発電パネルＰが、縦桟１，１の長手方向に直交する横側から検鈍式に縦桟１，１間の前記一対のばね係合保持台７，７とこれに対向する前記一対のパネル上面規制フランジ８，８との間に挿入できる挿入隙間１３を縦桟１，１と太陽光発電パネルＰとの間に設けてなるものである。このような挿入隙間１３を設けるためには、前記実施形態に示す縦桟１，１間よりも、この実施形態に示す縦桟１，１間の挿入間隔を広く取って、挿入隙間１３を前記実施形態よりもその隙間間隔を広く取るようにすればよいが、図７に示すように、太陽光発電パネルＰが縦桟１，１の長手方向に直交する横側から検鈍式に縦桟１，１間の前記一対のばね係合保持台７，７とこれに対向する前記一対のパネル上面規制フランジ８，８との間に挿入できる挿入隙間１３を縦桟１，１と太陽光発電パネルＰとの間に設けるにあたって、前記一対のばね係合保持台７，７とこれに対向する前記一対のパネル上面規制フランジ８，８との間に直交して設けられる中空状のスペーサー支柱８を左右何れか一方側に偏位させて、前記一方側のばね係合保持台７とこれに対向する前記一方側のパネル上面規制フランジ９との間の挿入隙間１３が前記他方側のばね係合保持台７とこれに対向する前記他方側のパネル上面規制フランジ９との間の挿入隙間１３よりも隙間間隔を広く取るようにすることが好ましい。これによって、無理なく容易に太陽光発電パネルＰを縦桟１，１の横側から検鈍式に簡単に挿入して固定することができる。そして、縦桟１と太陽光発電パネルＰとの間に挿入隙間１３への挿入範囲において、前記一対のばね係合保持台７とこれに対向する前記一対のパネル上面規制フランジ９との間で太陽光発電パネルＰを挟持位置を維持するための挟持維持金具１３Ａを挿入隙間１３に詰め込むようにすればよい。
【００４７】
この他の実施形態における太陽光発電パネルＰを縦桟１のばね係合保持台７とパネル上面規制フランジ９との間に取り付ける操作順序を、図７によって説明すると、先ず図７の（ａ）に示すように、太陽光発電パネルＰの一方側を一方側の縦桟１の挿入間隔の広い挿入隙間１３に乗せ、（ｂ）に示すように、太陽光発電パネルＰを挿入隙間１３の奥まで挿入し、次に（ｃ）に示すように、太陽光発電パネルＰの他方側を他方側の挿入隙間１３に乗せ、（ｄ）に示すように、太陽光発電パネルＰの他方側を他方側の挿入隙間１３の奥まで挿入し、最後に（ｅ）に示すように、挿入間隔の広い挿入隙間１３に太陽光発電パネルＰを挟持位置を維持するための挟持維持金具１３Ａを詰め込むようにすればよい。なお、太陽光発電パネルＰの下面には前記実施形態と同じように、パネル押圧ばね９を嵌め込まれるが、これは最後の（ｅ）の段階で嵌め込むようにすることが好ましい。
【００４８】
このように、この他の実施形態によれば、図６〜図７に示すように、太陽光発電パネルＰを、縦桟１，１の横側から検鈍式に縦桟１，１間のばね係合保持台７とパネル上面規制フランジ８との間に簡単に挿入して固定することができるから、例えば縦桟１，１の後方側に建物の壁等の障害物があって太陽光発電パネルＰを縦桟１，１の後方端から挿入することが困難な場合に、縦桟１，１の横側から検鈍式に太陽光発電パネルＰを縦桟１，１間に挿入固定することができる。
【００４９】
なお、横桟２に交叉して縦桟１を連結する構造は、図３に示すように、特許文献１に示す連結構造と同じであり、図２に示すように、横桟２は、縦桟１と同じように中空アルミ押出型材からなり、縦桟１の傾斜に対応して傾斜した横桟上面２ａに長手方向に連続する摺動ガイド溝１８を有し、これにフレーム連結金具１６が取り付けられている。
【００５０】
この従来技術であるフレーム連結金具１６の構造を念のため説明すると、該フレーム連結金具１６は、図３に示すように、横桟２の摺動ガイド溝１８に嵌入させるスライド部材１９と、その上に配置させる受け部材２０とで構成されている。そして、スライド部材１９は、帯板状の基板部１９ａの下面側に一対の平行な脚片部１９ｂ，１９ｂが突設されると共に、基板部１９ａの長手方向両側部にはボルト挿通孔１９ｃ，１９ｃが穿設されている。一方、受け部材２０は、横桟２の上面幅に略等しい前後幅で且つスライド部材１９に対応する長さの基板部２０ａと、該基板部２０ａの中央側から前後方向に沿って上方へ突出する平行２条の挟持壁部２０ｂとを有し、両挟持壁部２０ｂ，２０ｂの上端に内向きに突出する縦断面Ｌ字形の係止片２０ｃが形成されており、基板部２０ａの左右両側部にボルト挿通孔２０ｄを備えている。
【００５１】
縦桟１と横桟２とを連結するには、コンクリート基礎１４Ａ，１４Ｂ上に支持固定させた前方部と後方部の各横桟２に対し、その摺動ガイド溝１８に一端側から、縦桟１との交叉部に対応する数のスライド部材１９を、各ボルト挿通孔１９ｃに下方から固定ボルトＢを挿通した状態でスライド嵌合させる。これにより、各スライド部材１９は該摺動ガイド溝１８に摺動自在で且つ上方離脱不能に保持されると共に、該スライド部材１９から直立した２本の固定ボルトＢが摺動ガイド溝１８から上方へ突出した状態となるから、次に各スライド部材１９の上に受け部材２０を載置し、その基板部２０ａの各ボルト挿通孔２０ｄに挿通した固定ボルトＢに座金Ｗを介してナットＮを螺着する。かくして、スライド部材１９上に受け部材２０を装着した各フレーム連結金具１６は、ナットＮの締め付けが緩んだ状態で設定した縦桟１との各交叉部へ順次に移動させ、各交叉部において受け部材２０の両挟持壁部２０ｂ，２０ｂ間に後方から縦桟１をスライド嵌合させて、該縦桟１の両側の係止溝２１ａ，２１ａに係止片２０ｃ，２０ｃを係入させ、受け部材２０の両挟持壁部２０ｂ，２０ｂに外側からドリリングタッピングねじＳを通して縦桟１に螺刻貫通させることにより、該縦桟１と横桟２とが交叉部で剛体的に強固に連結した状態となる。
【符号の説明】
【００５２】
Ｐ      太陽光発電パネル
Ｐ１    太陽光発電パネルＰの前端面
Ｐ２    太陽光発電パネルＰの後端面
１      縦桟
２      横桟
４      中空状縦桟本体
４ａ    中空状縦桟本体３の上面
５      中空部
６      中空状のスペーサー突起
６ａ    中空状のスペーサー突起５の突端部
７      ばね係合保持台
８      パネル上面規制フランジ
９      パネル押圧ばね
１０    規制突起
１１    ビス
１２    ビス
１３    挿入隙間
１３Ａ  挟持維持金具
【図１】
2018007341.tif 000003
【図２】
2018007341.tif 000004
【図３】
2018007341.tif 000005
【図４】
2018007341.tif 000006
【図５】
2018007341.tif 000007
【図６】
2018007341.tif 000008
【図７】
2018007341.tif 000009
【図８】
2018007341.tif 000010